(57)【特許請求の範囲】
【請求項１】
水着の縁部ないし縁部の近傍の裏面側に、シリコーン系のエラストマーからなるズレ防止部が固着して設けられ、
前記ズレ防止部を構成するエラストマーが水着の生地の目を通して水着の表面に薄膜状に露出していることで、水着の表面に模様が表れている水着のズレ防止構造。
【請求項２】
請求項１において、
前記ズレ防止部が多数の点状突部を散点状に配置して形成されていることを特徴とする水着のズレ防止構造。
【請求項３】
請求項１において、
前記ズレ防止部が複数本の線状突部を互いに略平行に配置して形成されていることを特徴とする水着のズレ防止構造。
【発明の詳細な説明】
【０００１】
【発明の属する技術分野】
本発明は水着のズレ防止構造に関するものである。
【０００２】
【従来の技術およびその課題】
従来使用されている水着は、泳いでいるうちに、臀部や胸部などの部分がズレ上がったり、ズレ下がったりする。こうした水着のズレは、フィット感の低下を招くだけでなく、見栄えを損なう。
【０００３】
したがって、本発明の主目的は、泳いでいるうちに水着が体からズレるのを防止し得る水着のズレ防止構造を提供することである。
【０００４】
【課題を解決するための手段】
前記目的を達成するために、本第１発明の水着のズレ防止構造は、水着の縁部ないし縁部の近傍の裏面側に、シリコーン系のエラストマーからなるズレ防止部が固着して設けられ、該ズレ防止部が多数の点状突部を散点状に配置して形成されていることを特徴とする。
【０００５】
一方、本第２発明の水着のズレ防止構造は、水着の縁部ないし縁部の近傍の裏面側に、シリコーン系のエラストマーからなるズレ防止部が固着して設けられ、該ズレ防止部が複数本の線状突部を互いに略平行に配置して形成されていることを特徴とする。
【０００６】
これらの発明によれば、シリコーン系のエラストマーからなるズレ防止部が皮膚の表面に密着して、水着がズレるのを摩擦力により防止する。
すなわち本発明では、多数の点状突部を散点状に配置したり、あるいは、複数本の線状突部を互いに略平行に配置しているので、これらの突部が皮膚にくい込み易い。そのため、ズレ防止の効果が増大する。
ところで、一般に、水着は伸縮性の高い生地で形成されている場合が多い。ここで、本発明の前記点状突部や線状突部は、水着の裏面の全面を覆っていないので、水着が伸びるのに伴って突部間のピッチが大きくなるから、水着の伸縮性を損なうおそれが少ない。
【０００７】
本第３発明の水着のズレ防止構造は、水着の縁部ないし縁部の近傍の裏面側に、シリコーン系のエラストマーからなるズレ防止部が固着して設けられ、前記ズレ防止部を構成するエラストマーが水着の生地の目を通して水着の表面に薄膜状に露出していることで、水着の表面に模様が表れている。
【０００８】
シリコーン系のゴムや樹脂は、他のゴムなどに比べ光沢のある美しい表面を持つ。したがって、前記ズレ防止部を形成するエラストマーが水着の表面に露出していることで、美しい模様を構成する。なお、この模様は、必ずしも散点状や線状である必要はなく、商標などのマークを構成してもよい。
【０００９】
なお、本発明において、シリコーン系のエラストマーとしては、シリコーンゴムやシリコーン樹脂を用いることができるが、スクリーン印刷法を用いて製造できる点において液状シリコーンゴムが最も好ましい。なお、液状シリコーンゴムとしては、たとえば、オルガノポリシロキサンを主成分とする付加反応型シリコーンＲＴＶゴムを採用することができる。
【００１０】
【発明の実施の形態】
以下、本発明の一実施形態を図面にしたがって説明する。
図１に示す水着１の縁部ないし縁部の近傍の裏面側には、ズレ防止部２が固着して設けてある。前記ズレ防止部２は、図２（ａ），（ｂ）に示すように、シリコーンゴムからなる多数の点状突部３が散点状に配置して形成されている。
【００１１】
点状突部３の形状は、図２のように円形である必要はなく、図３（ａ）〜（ｃ）のように、Ｘ字型、星型、方形などであってもよい。また、点状突部３に代えて図３（ｄ），（ｅ）のように、複数本の線状突部３Ａを互いに略平行に配置してもよい。
【００１２】
本発明において、図２（ｂ）に示す前記点状突部や線状突部の高さＨは、0.5mm 〜3.5mm 程度とするのが好ましく、0.8mm 〜2.5mm 程度とするのが更に好ましい。その理由は、突部３の高さＨが低すぎると皮膚へのくい込みが十分に得られず、そのため、ズレ防止効果が減退し、一方、突部３の高さＨが高すぎると皮膚へのくい込みが大きくなりすぎて違和感を覚えるからである。
なお、前記点状突部３の外径Ｄは、たとえば２mm〜５mm程度が好ましく、また、図２（ａ）の配列ピッチＰは４mm〜８mm程度に設定するのが好ましい。
【００１３】
本実施形態では、点状突部３を構成するシリコーンゴムが水着１の生地１０に入り込んで、生地１０の投錨作用により生地１０に固着されている。更に、前記シリコーンゴムは、生地１０の目を通して水着１の表面Ｆに薄膜３０状に露出していることで、たとえば、水玉模様となって水着１の表面Ｆに表れている。
【００１４】
つぎに、前記ズレ防止部２の形成方法について簡単に説明する。
まず、図４（ａ）のベース２０上に生地１０を載せ、更に、多孔版２１を載せた上に、液状（未加硫）のシリコーンゴム２Ａを流し込む。ついで、図４（ｂ）のように、治具２２を用いて液状のシリコーンゴム２Ａをスキージして、多孔版２１の孔２３内にシリコーンゴム２Ａを充填する。この充填後、図４（ｃ）のように、多孔版２１を取り除くと、経時的に、液状のシリコーンゴム２Ａの形状が円錐台形ないし半球状になる。その後、液状のシリコーンゴム２Ａを加熱または常温下で架橋させて、シリコーンゴム２Ａからなるズレ防止部２を生地１０に固着させる。
【００１５】
このようにして製造されたズレ防止部２は、生地１０の投錨作用（アンカー効果）により生地１０に強固に固着するので、生地１０から容易に剥離しない。
【００１６】
ところで、本発明において、ズレ防止部２は、図５（ａ）のように、生地１０の折り返し部１１のよりも若干内方の部分に設けてもよく、あるいは、図５（ｂ）のように、折り返し部１１に設けてもよい。また、ズレ防止部２を設ける部位としては、図１の水着１におけるヒップライン、前脇ラインや胸ぐらの他、図５（ｃ）の肩紐や、図５（ｄ）のスパッツの裾など、種々の部位が考えられる。
【００１７】
【発明の効果】
以上説明したように、本第１および第２発明によれば、シリコーン系のエラストマーからなるズレ防止部を、水着の縁部ないし縁部の近傍の裏面側に固着して設けたので、水着のズレを摩擦力により防止することができる。そのため、水着のフィット感が向上すると共に、ズレによる見栄えの低下を防止することができる。
【００１８】
特に、多数の点状突部を散点状に配置したり、あるいは、複数本の線状突部を互いに略平行に配置してズレ防止部を形成すれば、各突部等が皮膚にくい込み易いので、前記ズレ防止の効果が増大する。
しかも、点状突部や線状突部は、水着の裏面を平面的に覆っていないので、水着が伸びるのに伴って突部間のピッチが大きくなるから、水着の生地の伸縮性を損なうおそれがない。
なお、これらの効果については、線状突部よりも点状突部の方が更に大きな効果が得られる。
【００１９】
また、本第３発明によれば、シリコーン系のエラストマーからなるズレ防止部を、水着の縁部ないし縁部の近傍の裏面側に固着して設けたので、水着のズレを摩擦力により防止することができる。そのため、水着のフィット感が向上すると共に、ズレによる見栄えの低下を防止することができる。
また、ズレ防止部を構成するエラストマーが水着の生地の目を通して表面に露出しているので、エラストマーが生地にくい込んでいるから、水着の生地の投錨作用により、ズレ防止部が脱落したり、剥離したりするのを防止できる。
特に、ズレ防止部を形成するシリコーンのエラストマーが水着の表面に露出していることで、シリコーンの美しい光沢を持つ模様が水着の表面に表れるので、従来とは異なる美感を醸し出すことができる。
【図面の簡単な説明】
【図１】本発明の一実施形態にかかる水着を示す背面図である。
【図２】（ａ）はズレ防止部を示す平面図、（ｂ）は点状突部を示す拡大断面図である。
【図３】点状突部や線状突部の他の形態を示す模式図である。
【図４】製造工程を示す断面図である。
【図５】変形例を示す斜視図および正面図である。
【符号の説明】
１：水着
２：ズレ防止部
３：点状突部
３Ａ：線状突部
１０：生地
３０：薄膜
【図１】
0003765944.tif 000002
【図２】
0003765944.tif 000003
【図３】
0003765944.tif 000004
【図４】
0003765944.tif 000005
【図５】
0003765944.tif 000006